(57)【要約】【課題】操作者による判定パターンの選択を容易にする。【解決手段】記憶部（13）は、それぞれが貨幣の識別のために用意された複数の判定要素毎の閾値を含む複数の判定パターンを記憶する。制御部（14）は、複数の判定パターンの中から識別部（110）における貨幣の識別に用いられる判定パターンを選択する判定パターン設定処理において、予め準備された複数枚の確認貨幣の各々の識別結果が複数の判定パターン毎に取得されるように貨幣処理装置（10）の動作を制御し、複数の判定パターンと複数の判定パターン毎に取得された複数枚の確認貨幣の各々の識別結果とを示す確認結果情報を出力する。【選択図】図２
2019185536.tif 000002
【特許請求の範囲】
【請求項１】
貨幣を処理する貨幣処理装置であって、
前記貨幣を搬送する搬送部と、
前記貨幣を識別する識別部と、
それぞれが前記貨幣の識別のために用意された複数の判定要素毎の閾値を含む複数の判定パターンを記憶する記憶部と、
前記貨幣処理装置の動作を制御する制御部とを備え、
前記制御部は、前記複数の判定パターンの中から前記識別部における貨幣の識別に用いられる判定パターンを選択する判定パターン設定処理において、予め準備された複数枚の確認貨幣の各々の識別結果が前記複数の判定パターン毎に取得されるように前記貨幣処理装置の動作を制御し、該複数の判定パターンと該複数の判定パターン毎に取得された該複数枚の確認貨幣の各々の識別結果とを示す確認結果情報を出力する
ことを特徴とする貨幣処理装置。
【請求項２】
請求項１において、
前記制御部は、前記判定パターン設定処理において、前記複数の判定パターン毎に前記複数枚の確認貨幣が前記識別部に順次搬送されて該識別部により該複数枚の確認貨幣の各々が該判定パターンに基づいて識別される確認搬送動作が行われるように前記貨幣処理装置の動作を制御し、該識別部により該複数の判定パターン毎に取得された該複数枚の確認貨幣の各々の識別結果に基づいて前記確認結果情報を出力する
ことを特徴とする貨幣処理装置。
【請求項３】
請求項１において、
前記制御部は、前記判定パターン設定処理において、前記複数枚の確認貨幣が前記識別部に順次搬送されて該識別部により該複数枚の確認貨幣の各々の前記複数の判定要素毎のレベルが取得されるように前記貨幣処理装置の動作を制御し、前記複数の判定パターン毎に該判定パターンに含まれる複数の判定要素毎の閾値と該識別部により取得された該複数枚の確認貨幣の各々の該複数の判定要素毎のレベルとを比較することで該複数の判定パターン毎に該複数枚の確認貨幣の各々の識別結果を取得し、該比較により該複数の判定パターン毎に取得された該複数枚の確認貨幣の各々の識別結果に基づいて前記確認結果情報を出力する
ことを特徴とする貨幣処理装置。
【請求項４】
請求項１〜３のいずれか１項において、
前記制御部は、前記貨幣を識別して搬送する識別搬送処理において、該貨幣が前記識別部において識別されて該識別部による識別結果に応じた搬送先に搬送されるように前記貨幣処理装置の動作を制御し、
前記識別部は、前記識別搬送処理において、前記複数の判定パターンのうち前記判定パターン設定処理において選択された判定パターンに基づいて前記貨幣を識別する
ことを特徴とする貨幣処理装置。
【請求項５】
請求項１〜４のいずれか１項において、
表示部を備え、
前記制御部は、前記判定パターン設定処理において、前記確認結果情報を前記表示部に出力して該確認結果情報を該表示部に表示させる
ことを特徴とする貨幣処理装置。
【請求項６】
請求項５において、
前記制御部は、前記確認結果情報に示された前記複数の判定パターンと該複数の判定パターン毎に取得された前記複数枚の確認貨幣の各々の識別結果とが一覧表示されるように前記表示部を制御する
ことを特徴とする貨幣処理装置。
【請求項７】
請求項５または６において、
前記複数枚の確認貨幣の各々には、該確認貨幣に望まれる識別結果が定められており、
前記制御部は、前記表示部における前記複数の判定パターンの各々の表示態様が該判定パターンに基づいて取得された前記複数枚の確認貨幣の各々の識別結果と該複数枚の確認貨幣の各々に望まれる識別結果との一致度に応じた表示態様となるように前記表示部を制御する
ことを特徴とする貨幣処理装置。
【請求項８】
請求項７において、
前記制御部は、前記複数の判定パターンのうち前記一致度の高い判定パターンが該一致度の低い判定パターンよりも優先的に表示されるように前記表示部を制御する
ことを特徴とする貨幣処理装置。
【請求項９】
請求項１〜８のいずれか１項において、
前記識別部は、前記貨幣の正損を識別し、
前記複数の判定パターンの各々に含まれる前記複数の判定要素毎の閾値には、前記貨幣の正損の識別のために用意された閾値が含まれている
ことを特徴とする貨幣処理装置。
【請求項１０】
貨幣を処理する貨幣処理装置と、
出力装置とを備え、
前記貨幣処理装置は、
前記貨幣を搬送する搬送部と、
前記貨幣を識別する識別部と、
それぞれが前記貨幣の識別のために用意された複数の判定要素毎の閾値を含む複数の判定パターンを記憶する記憶部と、
前記貨幣処理装置の動作を制御する制御部とを有し、
前記制御部は、前記複数の判定パターンの中から前記識別部における貨幣の識別に用いられる判定パターンを選択する判定パターン設定処理において、予め準備された複数枚の確認貨幣の各々の識別結果が前記複数の判定パターン毎に取得されるように前記貨幣処理装置の動作を制御し、該複数の判定パターンと該複数の判定パターン毎に取得された該複数枚の確認貨幣の各々の識別結果とを示す確認結果情報を前記出力装置に出力し、
前記出力装置は、前記確認結果情報を出力する
ことを特徴とする貨幣処理システム。
【発明の詳細な説明】
【技術分野】
【０００１】
ここに開示する技術は、貨幣処理装置および貨幣処理システムに関する。
【背景技術】
【０００２】
従来、貨幣を処理する貨幣処理装置が知られている。例えば、特許文献１には、貨幣を受け入れる受入部と、複数の判定要素毎に設定された閾値を含む複数の設定ファイルを記憶する記憶部と、記憶部に記憶された複数の設定ファイルの中から１つを選択する選択部と、選択部によって選択された設定ファイルに含まれる複数の閾値に基づいて受入部によって受け入れられた貨幣の正損または真偽を判定する判定部とを備えた貨幣処理装置が開示されている。
【先行技術文献】
【特許文献】
【０００３】
【特許文献１】国際公開第２００９／１２２５０３号
【発明の概要】
【発明が解決しようとする課題】
【０００４】
しかしながら、特許文献１の貨幣処理装置では、単に、複数の設定ファイル（判定パターン）が記憶部に記憶されているだけであるので、操作者は、複数の設定ファイルの中からどの設定ファイルを選択すればよいのかを判断することが困難である。
【０００５】
そこで、ここに開示する技術は、操作者による判定パターンの選択を容易にすることが可能な貨幣処理技術を提供することを目的とする。
【課題を解決するための手段】
【０００６】
ここに開示する技術は、貨幣を処理する貨幣処理装置に関する。この貨幣処理装置は、前記貨幣を搬送する搬送部と、前記貨幣を識別する識別部と、それぞれが前記貨幣の識別のために用意された複数の判定要素毎の閾値を含む複数の判定パターンを記憶する記憶部と、前記貨幣処理装置の動作を制御する制御部とを備えている。前記制御部は、前記複数の判定パターンの中から前記識別部における貨幣の識別に用いられる判定パターンを選択する判定パターン設定処理において、予め準備された複数枚の確認貨幣の各々の識別結果が前記複数の判定パターン毎に取得されるように前記貨幣処理装置の動作を制御し、該複数の判定パターンと該複数の判定パターン毎に取得された該複数枚の確認貨幣の各々の識別結果とを示す確認結果情報を出力する。
【０００７】
前記の構成では、確認結果情報（複数の判定パターンと複数の判定パターン毎に取得された複数枚の確認貨幣の各々の識別結果とを示す情報）を出力することにより、複数の判定パターン毎に取得された複数枚の確認貨幣の各々の識別結果を操作者に確認させることができる。これにより、操作者による判定パターンの選択（複数の判定パターンの中から識別部における貨幣の識別に用いられる判定パターンを選択する操作）を支援することができるので、操作者による判定パターンの選択を容易にすることができる。
【０００８】
なお、前記制御部は、前記判定パターン設定処理において、前記複数の判定パターン毎に前記複数枚の確認貨幣が前記識別部に順次搬送されて該識別部により該複数枚の確認貨幣の各々が該判定パターンに基づいて識別される確認搬送動作が行われるように前記貨幣処理装置の動作を制御し、該識別部により該複数の判定パターン毎に取得された該複数枚の確認貨幣の各々の識別結果に基づいて前記確認結果情報を出力するように構成されていてもよい。
【０００９】
前記の構成では、複数の判定パターン毎に確認搬送動作を行うことにより、複数の判定パターン毎に複数枚の確認貨幣の各々の識別結果を取得することができる。
【００１０】
または、前記制御部は、前記判定パターン設定処理において、前記複数枚の確認貨幣が前記識別部に順次搬送されて該識別部により該複数枚の確認貨幣の各々の前記複数の判定要素毎のレベルが取得されるように前記貨幣処理装置の動作を制御し、前記複数の判定パターン毎に該判定パターンに含まれる複数の判定要素毎の閾値と該識別部により取得された該複数枚の確認貨幣の各々の該複数の判定要素毎のレベルとを比較することで該複数の判定パターン毎に該複数枚の確認貨幣の各々の識別結果を取得し、該比較により該複数の判定パターン毎に取得された該複数枚の確認貨幣の各々の識別結果に基づいて前記確認結果情報を出力するように構成されていてもよい。
【００１１】
前記の構成では、複数枚の確認貨幣の搬送（識別部への搬送）が少なくとも１回行われることで、複数枚の確認貨幣の各々の複数の判定要素毎のレベルを取得することができるので、判定パターン設定処理において複数枚の確認貨幣の搬送に要する時間を短縮することができる。また、複数枚の確認貨幣の搬送を繰り返し行わなくてもよいので、複数枚の確認貨幣の搬送に要する操作者の負担を軽減することができる。
【００１２】
また、前記制御部は、前記貨幣を識別して搬送する識別搬送処理において、該貨幣が前記識別部において識別されて該識別部による識別結果に応じた搬送先に搬送されるように前記貨幣処理装置の動作を制御するように構成されていてもよい。前記識別部は、前記識別搬送処理において、前記複数の判定パターンのうち前記判定パターン設定処理において選択された判定パターンに基づいて前記貨幣を識別するように構成されていてもよい。
【００１３】
前記の構成では、判定パターン設定処理において選択された判定パターンに基づく貨幣の識別を識別搬送処理において行うことができる。
【００１４】
また、前記貨幣処理装置は、表示部を備えていてもよい。そして、前記制御部は、前記判定パターン設定処理において、前記確認結果情報を前記表示部に出力して該確認結果情報を該表示部に表示させるように構成されていてもよい。
【００１５】
前記の構成では、確認結果情報を表示部に表示させることにより、複数の判定パターン毎に取得された複数枚の確認貨幣の各々の識別結果を操作者に目視で確認させることができる。これにより、操作者による判定パターンの選択を支援することができるので、操作者による判定パターンの選択を容易にすることができる。
【００１６】
また、前記制御部は、前記確認結果情報に示された前記複数の判定パターンと該複数の判定パターン毎に取得された前記複数枚の確認貨幣の各々の識別結果とが一覧表示されるように前記表示部を制御するように構成されていてもよい。
【００１７】
前記の構成では、複数の判定パターンと複数の判定パターン毎に取得された複数枚の確認貨幣の各々の識別結果とを一覧表示することにより、操作者は、複数の判定パターン毎に取得された複数枚の確認貨幣の各々の識別結果を判定パターン別に対比しながら確認することができる。これにより、複数の判定パターン毎に取得された複数枚の確認貨幣の各々の識別結果が一覧表示されない場合（例えば複数の判定パターン毎に切り換えられて表示される場合）よりも、操作者による判定パターンの選択を支援する効果を向上させることができるので、操作者による判定パターンの選択をさらに容易にすることができる。
【００１８】
また、前記複数枚の確認貨幣の各々には、該確認貨幣に望まれる識別結果が定められていてもよい。そして、前記制御部は、前記表示部における前記複数の判定パターンの各々の表示態様が該判定パターンに基づいて取得された前記複数枚の確認貨幣の各々の識別結果と該複数枚の確認貨幣の各々に望まれる識別結果との一致度に応じた表示態様となるように前記表示部を制御するように構成されていてもよい。
【００１９】
前記の構成では、表示部における複数の判定パターンの各々の表示態様を複数の判定パターンの各々の一致度に応じた表示態様にすることにより、操作者による一致度の比較（複数の判定パターンの各々の一致度の比較）を容易にすることができる。これにより、操作者による判定パターンの選択を支援する効果を向上させることができるので、操作者による判定パターンの選択をさらに容易にすることができる。
【００２０】
また、前記制御部は、前記複数の判定パターンのうち前記一致度の高い判定パターンが該一致度の低い判定パターンよりも優先的に表示されるように前記表示部を制御するように構成されていてもよい。
【００２１】
前記の構成では、一致度の高い判定パターンを一致度の低い判定パターンよりも優先的に表示させることにより、複数の判定パターンのうち一致度の高い判定パターンを操作者に優先的に確認させることができる。これにより、操作者による判定パターンの選択を支援する効果を向上させることができるので、操作者による判定パターンの選択をさらに容易にすることができる。
【００２２】
また、前記識別部は、前記貨幣の正損を識別するように構成されていてもよい。前記複数の判定パターンの各々に含まれる前記複数の判定要素毎の閾値には、前記貨幣の正損の識別のために用意された閾値が含まれていてもよい。
【００２３】
また、ここに開示する技術は、貨幣処理システムに関する。この貨幣処理システムは、貨幣を処理する貨幣処理装置と、出力装置とを備えている。前記貨幣処理装置は、前記貨幣を搬送する搬送部と、前記貨幣を識別する識別部と、それぞれが前記貨幣の識別のために用意された複数の判定要素毎の閾値を含む複数の判定パターンを記憶する記憶部と、前記貨幣処理装置の動作を制御する制御部とを有している。前記制御部は、前記複数の判定パターンの中から前記識別部における貨幣の識別に用いられる判定パターンを選択する判定パターン設定処理において、予め準備された複数枚の確認貨幣の各々の識別結果が前記複数の判定パターン毎に取得されるように前記貨幣処理装置の動作を制御し、該複数の判定パターンと該複数の判定パターン毎に取得された該複数枚の確認貨幣の各々の識別結果とを示す確認結果情報を前記出力装置に出力する。前記出力装置は、前記確認結果情報を出力する。
【００２４】
前記の構成では、確認結果情報（複数の判定パターンと複数の判定パターン毎に取得された複数枚の確認貨幣の各々の識別結果とを示す情報）を出力することにより、複数の判定パターン毎に取得された複数枚の確認貨幣の各々の識別結果を操作者に確認させることができる。これにより、操作者による判定パターンの選択（複数の判定パターンの中から識別部における貨幣の識別に用いられる判定パターンを選択する操作）を支援することができるので、操作者による判定パターンの選択を容易にすることができる。
【発明の効果】
【００２５】
以上のように、ここに開示する技術によれば、操作者による判定パターンの選択を容易にすることができる。
【図面の簡単な説明】
【００２６】
【図１】実施形態１による貨幣処理システムの構成を例示する概略図である。
【図２】実施形態１における貨幣処理装置の構成を例示する概略図である。
【図３】記憶部に記憶される複数の判定パターンを例示する図である。
【図４】記憶部に記憶される確認紙幣管理情報を例示する図である。
【図５】記憶部に記憶される確認結果情報を例示する図である。
【図６】識別部により取得される貨幣の複数の判定要素毎のレベルを例示する図である。
【図７】判定パターン設定処理における貨幣処理装置の動作について説明するためのフローチャートである。
【図８】正損設定が含まれる操作画面を例示する図である。
【図９】正損設定（搬送設定）が含まれる操作画面を例示する図である。
【図１０】確認紙幣に望まれる識別結果を設定するための操作画面を例示する図である。
【図１１】判定パターンを確認するための操作画面を例示する図である。
【図１２】確認紙幣の投入を指示するための操作画面を例示する図である。
【図１３】表示部に表示される確認結果情報を例示する図である。
【図１４】実施形態１の変形例１において表示部に表示される確認結果情報を例示する図である。
【図１５】実施形態１の変形例２の判定パターン設定処理における貨幣処理装置の動作について説明するためのフローチャートである。
【図１６】実施形態２による貨幣処理システムの構成を例示する概略図である。
【図１７】実施形態２における貨幣処理装置の構成を例示するブロック図である。
【図１８】紙幣処理部の構成を例示する概略図である。
【図１９】繰入機構の構成を例示する概略断面図である。
【図２０】繰入機構の構成を例示する概略平面図である。
【発明を実施するための形態】
【００２７】
以下、実施の形態を図面を参照して詳しく説明する。なお、図中同一または相当部分には同一の符号を付しその説明は繰り返さない。
【００２８】
（実施形態１）
図１は、実施形態１による貨幣処理システム１の構成を例示している。貨幣処理システム１は、貨幣処理装置１０と、管理コンピュータ２０とを備えている。例えば、貨幣処理システム１は、銀行などの金融機関に設けられている。
【００２９】
〔貨幣処理装置〕
図１および図２に示すように、貨幣処理装置１０は、筐体１００と、投入部１０１と、リジェクト部１０２と、複数（この例では２つ）の外部集積部１０３と、上部投出部１０４と、下部投出部１０５と、複数（この例では５つ）の内部集積部１０６と、帯封部１０７と、印字部１０８と、搬送部１０９と、識別部１１０と、スイッチバック反転部１１１と、スパイラル反転部１１２と、操作表示部１１と、通信部１２と、記憶部１３と、制御部１４とを備えている。
【００３０】
〈筐体〉
筐体１００は、直方体型の箱状に形成されている。そして、筐体１００には、貨幣処理装置１０の上述の構成部品が収納されている。
【００３１】
〈投入部〉
投入部１０１には、紙幣が投入される。この例では、投入部１０１は、筐体１００の前面部の上部に設けられ、筐体１００の前方に開口する投入口を有している。操作者は、投入部１０１の投入口を介して投入部１０１に紙幣を投入することができる。また、投入部１０１は、複数枚の紙幣を集積した状態で保持する。そして、投入部１０１には、投入部１０１に保持されている紙幣を１枚ずつ搬送部１０９に繰り出す繰出機構１０１ａが設けられている。
【００３２】
〈リジェクト部〉
リジェクト部１０２は、後述する計数処理においてリジェクト対象に該当する紙幣（リジェクト券）を集積する。この例では、リジェクト部１０２は、筐体１００の前面部において投入部１０１の下方に設けられ、複数枚のリジェクト券を保持する。リジェクト対象となる紙幣の種別は、予め指定されている。例えば、斜行や重送などの搬送異常となっている紙幣（搬送異常券）や、識別することができない紙幣（識別不能券）や、偽物の紙幣（偽券）などが、リジェクト対象に該当する。
【００３３】
〈外部集積部〉
複数の外部集積部１０３は、それぞれ紙幣を集積する。そして、複数の外部集積部１０３は、紙幣を取り出すための取出口をそれぞれ有し、それぞれの取出口が筐体１００の外へ向けて開口している。この例では、複数の外部集積部１０３は、筐体１００の上部に設けられている。操作者は、外部集積部１０３の取出口を介して外部集積部１０３に集積されている紙幣を取り出すことができる。
【００３４】
〈内部集積部〉
複数の内部集積部１０６は、筐体１００の内部に設けられている。そして、複数の内部集積部１０６は、それぞれ紙幣を集積する。この例では、複数の内部集積部１０６は、上下方向に並んで設けられている。例えば、複数の内部集積部１０６は、それぞれに割り当てられた金種の紙幣を集積する。
【００３５】
〈上部投出部〉
上部投出部１０４は、筐体１００の上部に設けられている。そして、上部投出部１０４は、紙幣を投出する。この例では、上部投出部１０４は、複数枚の紙幣を集積するように構成され、操作者が上部投出部１０４に集積された紙幣を取り出すことができるように構成されている。具体的には、上部投出部１０４は、トレイ１０４ａを有している。トレイ１０４ａは、上方に開口する直方体型の箱状に形成されて紙幣を集積する。そして、トレイ１０４ａは、後側に設けられた受け取り位置（図２の実線で示された位置）と前側に設けられた取り出し位置（図２の一点鎖線で示された位置）との間を前後方向に移動するように構成されている。トレイ１０４ａを受け取り位置に配置することにより、トレイ１０４ａと搬送部１０９との間において紙幣の受け渡しを行うことができる。一方、トレイ１０４ａを取り出し位置に配置することにより、操作者は、トレイ１０４ａに集積されている紙幣を取り出すことができる。なお、上部投出部１０４には、前後方向に移動するトレイ１０４ａの代わりに、搬送部１０９から受け取った紙幣を挟持して上部投出部１０４内に搬送する搬送機構（ベルト機構）が設けられていてもよい。
【００３６】
〈下部投出部〉
下部投出部１０５は、筐体１００の下部に設けられている。そして、下部投出部１０５は、紙幣を投出する。この例では、下部投出部１０５は、筐体１００の前方に開口する投出口を有し、投出口を介して紙幣を投出する。なお、下部投出部１０５から投出された紙幣は、下部投出部１０５の投出口の斜め前下に予め設置された回収容器（図示を省略）などに収納される。
【００３７】
〈帯封部〉
帯封部１０７は、所定枚数（例えば１００枚）の紙幣を帯封して帯封紙幣を生成する。この例では、帯封部１０７は、筐体１００の下部に設けられている。また、帯封部１０７は、下部投出部１０５の後方に配置されている。なお、帯封部１０７の構成の詳細な図示は省略するが、帯封部１０７は、公知の様々な構成を採用することができる。例えば、帯封部１０７は、所定枚数の紙幣の束に帯封紙を巻き付けることで紙幣の帯封を行うように構成されていてもよいし、帯封紙によって形成された輪の中に所定枚数の紙幣の束を挿入することで紙幣の帯封を行うように構成されていてもよい。
【００３８】
〈印字部〉
印字部１０８は、帯封紙に情報を印字する。印字部１０８による帯封紙の印字は、帯封部１０７において所定枚数の紙幣が帯封された後に行われてもよいし、帯封部１０７において所定枚数の紙幣が帯封される前に行われてもよい。
【００３９】
〈搬送部〉
搬送部１０９は、貨幣処理装置１０内において紙幣を搬送する。この例では、搬送部１０９は、第１搬送部１０９ａと、第２搬送部１０９ｂと、第３搬送部１０９ｃとを有している。
【００４０】
《第１搬送部》
第１搬送部１０９ａは、投入部１０１とリジェクト部１０２と複数の外部集積部１０３と複数の内部集積部１０６との間において紙幣を搬送する。第１搬送部１０９ａは、例えば、紙幣を搬送するための搬送ベルトによって構成された搬送路や、搬送ベルトを駆動するための駆動機構や、紙幣の搬送を案内するためのガイド機構や、紙幣の搬送方向を切り換えるための分岐爪などによって構成されている。
【００４１】
《第２搬送部》
第２搬送部１０９ｂは、上部投出部１０４と複数の内部集積部１０６と帯封部１０７との間において紙幣を搬送する。この例では、第２搬送部１０９ｂは、筐体１００の上側から下側へ向けて順に配置された上部投出部１０４と複数の内部集積部１０６と帯封部１０７に沿うように上下方向に延びている。また、この例では、第２搬送部１０９ｂは、アーム部１０９ｄとガイド部１０９ｅとを有している。アーム部１０９ｄは、複数の内部集積部１０６および帯封部１０７の各々に集積されている紙幣を把持して搬送する。ガイド部１０９ｅは、上下方向に延び、アーム部１０９ｄを上下方向に往復移動させる。具体的には、ガイド部１０９ｅは、上部投出部１０４と複数の内部集積部１０６と帯封部１０７にそれぞれ対応する高さ位置にアーム部１０９ｄを移動させる。
【００４２】
アーム部１０９ｄを内部集積部１０６（または帯封部１０７）に対応する高さ位置に配置することにより、アーム部１０９ｄとその内部集積部１０６（または帯封部１０７）との間において紙幣の受け渡しを行うことができる。また、アーム部１０９ｄを上部投出部１０４に対応する高さ位置に配置することにより、アーム部１０９ｄと上部投出部１０４（この例では図２の実線で示された受け取り位置に配置されたトレイ１０４ａ）との間において紙幣の受け渡しを行うことができる。
【００４３】
《第３搬送部》
第３搬送部１０９ｃは、帯封部１０７と下部投出部１０５との間において帯封紙幣を搬送する。第３搬送部１０９ｃは、例えば、帯封紙幣を搬送するための搬送ベルトによって構成された搬送路や、搬送ベルトを駆動するための駆動機構や、紙幣の搬送を案内するためのガイド機構などによって構成されている。
【００４４】
〈識別部〉
識別部１１０は、第１搬送部１０９ａに設けられ、投入部１０１の下流側であり且つリジェクト部１０２と複数の外部集積部１０３と複数の内部集積部１０６の上流側である位置に配置されている。そして、識別部１１０は、第１搬送部１０９ａにより搬送される紙幣に対して識別動作と計数動作を行う。識別動作では、識別部１１０は、紙幣の金種、真偽、正損、新旧、方向（表裏と向き）、搬送状態、紙幣に付された記番号（識別番号）などを識別する。計数動作では、識別部１１０は、紙幣の枚数を金種毎に計数する。なお、識別部１１０の識別動作については、後で詳しく説明する。
【００４５】
〈スイッチバック反転部〉
スイッチバック反転部１１１は、第１搬送部１０９ａに設けられ、識別部１１０の下流側であり且つとリジェクト部１０２と複数の外部集積部１０３と複数の内部集積部１０６の上流側である位置に配置されている。そして、スイッチバック反転部１１１は、第１搬送部１０９ａにより搬送される紙幣の搬送幅方向（搬送方向と直交する方向）の向きが変わらないように紙幣の表裏を選択的に反転させる。
【００４６】
〈スパイラル反転部〉
スパイラル反転部１１２は、第１搬送部１０９ａに設けられ、スイッチバック反転部１１１の下流側であり且つとリジェクト部１０２と複数の外部集積部１０３と複数の内部集積部１０６の上流側である位置に配置されている。そして、スパイラル反転部１１２は、第１搬送部１０９ａにより搬送される紙幣の搬送幅方向（搬送方向と直交する方向）の向きが変わるように紙幣の表裏を選択的に反転させる。
【００４７】
〈操作表示部〉
操作表示部１１は、操作部１１ａと表示部１１ｂとを有している。例えば、操作表示部１１は、タッチパネルによって構成されている。操作部１１ａは、操作者による操作が与えられ、その操作者による操作に応じて情報を入力する。これにより、操作者は、操作部１１ａを操作して貨幣処理装置１０に各種処理を行わせることができる。すなわち、貨幣処理装置１０は、操作者による操作に応答して動作する。表示部１１ｂは、情報を表示する。また、外部集積部１０３の左右には、紙幣の繰出開始を指示するためのスタートボタンなどが配置されている。このスタートボタンが押下されることにより、投入部１０１における紙幣の繰出が開始される。
【００４８】
〈通信部〉
通信部１２は、制御部１４が外部機器（例えばタブレット端末２やスマートフォン３や管理コンピュータ２０など）との間で有線通信または無線通信を行うために設けられている。
【００４９】
〈記憶部〉
記憶部１３は、情報を記憶する。記憶部１３には、貨幣処理装置１０における貨幣の処理状況に関する情報や、貨幣処理装置１０における貨幣の在高に関する情報や、操作表示部１１に表示される操作画面などの画像情報（画像データ）や、貨幣処理装置１０の動作を制御するための制御情報などが記憶されている。例えば、記憶部１３は、ハードディスクドライブやフラッシュメモリなどの汎用ストレージデバイスによって構成されている。なお、記憶部１３に記憶される情報については、後で詳しく説明する。
【００５０】
〈各種センサ〉
また、貨幣処理装置１０の各部には、紙幣の通過を検知する通過センサなどの各種センサが設けられている。これらの各種センサによる検知結果（検知信号）は、制御部１４に送信される。
【００５１】
〈制御部〉
制御部１４は、貨幣処理装置１０の各部（この例では投入部１０１とリジェクト部１０２と外部集積部１０３と上部投出部１０４と下部投出部１０５と内部集積部１０６と帯封部１０７と印字部１０８と搬送部１０９と識別部１１０とスイッチバック反転部１１１とスパイラル反転部１１２と操作表示部１１と通信部１２と記憶部１３）と信号や情報を伝送可能に接続されている。また、制御部１４は、通信部１２を経由して外部機器と通信可能に構成されている。そして、制御部１４は、操作表示部１１に与えられた操作や貨幣処理装置１０の各部（各部に設けられた各種センサを含む）および外部機器から受信した信号や情報などに基づいて、貨幣処理装置１０の各部を制御して貨幣処理装置１０の動作を制御する。例えば、制御部１４は、ＣＰＵなどの演算処理部や、演算処理部を動作させるためのプログラムや情報を記憶するメモリなどの記憶部などによって構成されている。なお、制御部１４の動作については、後で詳しく説明する。
【００５２】
〔管理コンピュータ〕
管理コンピュータ２０は、貨幣処理システム１の各部（この例では貨幣処理装置１０）を管理する。この例では、管理コンピュータ２０は、操作部２１と、表示部２２と、通信部２３と、記憶部２４と、制御部２５とを備えている。
【００５３】
〈操作部と表示部と通信部〉
操作部２１は、操作者による操作が与えられ、その操作者による操作に応じて情報を入力する。この例では、操作者は、操作部２１を操作して管理コンピュータ２０に各種処理を行わせることができる。すなわち、管理コンピュータ２０は、操作者による操作に応答して動作する。表示部２２は、情報を表示する。通信部２３は、制御部２５が外部機器（例えばタブレット端末２やスマートフォン３や貨幣処理装置１０など）との間で有線通信または無線通信を行うために設けられている。
【００５４】
〈記憶部〉
記憶部２４は、情報を記憶する。記憶部２４には、貨幣処理システム１における貨幣の処理状況に関する情報や、貨幣処理システム１における貨幣の在高に関する情報や、表示部２２に表示される操作画面などの画像情報（画像データ）や、管理コンピュータ２０の動作を制御するための制御情報などが記憶されている。例えば、記憶部２４は、ハードディスクドライブやフラッシュメモリなどの汎用ストレージデバイスによって構成されている。
【００５５】
〈制御部〉
制御部２５は、管理コンピュータ２０の各部（この例では操作部２１と表示部２２と通信部２３と記憶部２４）と信号や情報を伝送可能に接続されている。また、制御部２５は、通信部２３を経由して外部機器と通信可能に構成されている。そして、制御部２５は、操作部２１に与えられた操作や管理コンピュータ２０の各部および外部機器から受信した信号や情報などに基づいて、管理コンピュータ２０の各部を制御して管理コンピュータ２０の動作を制御する。例えば、制御部２５は、ＣＰＵなどの演算処理部や、演算処理部を動作させるためのプログラムや情報を記憶するメモリなどの記憶部などによって構成されている。
【００５６】
〔記憶部に記憶される情報〕
次に、貨幣処理装置１０の記憶部１３に記憶される情報について説明する。記憶部１３には、複数の判定パターンと、確認紙幣管理情報と、確認結果情報とが記憶される。
【００５７】
〈判定パターン〉
複数の判定パターンは、識別部１１０における紙幣の識別に用いられる判定パターンの候補である。すなわち、複数の判定パターンの中から識別部１１０における紙幣の識別に用いられる判定パターンが選択される。複数の判定パターンは、それぞれが紙幣の識別のために用意された複数の判定要素毎の閾値を含んでいる。
【００５８】
図３に示すように、この例では、複数（図３の例では１０個）の判定パターンの各々に含まれる複数の判定要素毎の閾値には、紙幣の正損の識別のために用意された閾値が含まれている。具体的には、複数の判定パターンの各々には、紙幣の汚損に関する閾値（汚損閾値）や、紙幣の欠損に関する閾値（欠損閾値）や、紙幣の厚損に関する閾値（厚損閾値）などが含まれている。
【００５９】
なお、汚損閾値は、紙幣が汚損券に該当するか否かを判定するための閾値であり、欠損閾値は、紙幣が欠損券に該当するか否かを判定するための閾値であり、厚損閾値は、紙幣が厚損券に該当するか否かを判定するための閾値である。また、汚損券と欠損券と厚損券は、市場に流通すべきではない紙幣（損券）の具体例であり、汚損券は、異物付着などによる汚れが原因で損券に該当する紙幣のことであり、欠損券は、破れなどによる欠けが原因で損券に該当する紙幣のことであり、厚損券は、異物付着などによる厚みの異常が原因で損券に該当する紙幣のことである。
【００６０】
また、記憶部１３に記憶される判定パターンに含まれる複数項目毎の閾値は、固定値であってもよいし、可変値であってもよい。例えば、判定パターンに含まれる複数項目毎の閾値は、所定の権限を有する操作者により変更可能となっていてもよい。また、記憶部１３に記憶される判定パターンは、管理コンピュータ２０などの外部機器から送信されたものであってもよい。
【００６１】
〈確認紙幣管理情報〉
確認紙幣管理情報は、後述する判定パターン設定処理において準備される複数枚の確認紙幣（確認貨幣の一例）を管理するための情報である。複数枚の確認紙幣の各々には、その確認紙幣に望まれる識別結果が定められている。
【００６２】
図４に示すように、確認紙幣管理情報には、確認紙幣と確認紙幣に望まれる識別結果とが対応付けられて登録されている。この例では、確認紙幣に望まれる識別結果として「正券」または「損券」が登録されている。例えば、図４の例では、第１枚目の確認紙幣は、「正券」に該当すると識別されることが望まれており、第５枚目の確認紙幣は、「損券」に該当すると識別されることが望まれている。
【００６３】
また、図４に示すように、この例では、確認紙幣管理情報に、複数枚の確認紙幣の各々に付された記番号（紙幣を識別するための識別番号）が登録される。すなわち、複数枚の確認紙幣の各々には、その確認紙幣の記番号が対応付けられている。なお、この例では、後述する判定パターン設定処理における第１回目の識別搬送動作（複数枚の確認紙幣が識別部１１０に順次搬送される動作）において複数枚の確認紙幣の各々の記番号が読み取られ、それらの複数枚の確認紙幣の各々の記番号が確認紙幣管理情報に登録される。
【００６４】
〈確認結果情報〉
確認結果情報は、後述する判定パターン設定処理において操作者に提供される情報であり、操作者による判定パターンの選択（複数の判定パターンの中から識別部１１０における紙幣の識別に用いられる判定パターンを選択するための操作）を支援するための情報である。
【００６５】
図５に示すように、確認結果情報は、複数（図５の例では１０個）の判定パターンと、後述する判定パターン設定処理において複数の判定パターン毎に取得される複数枚（図５の例では１０枚）の確認紙幣の各々の識別結果とを示している。確認結果情報において、確認紙幣の識別結果には、その確認紙幣とその確認紙幣の識別に用いられた判定パターンとが対応付けられている。例えば、第１番目の判定パターンに基づく識別により取得された第１枚目の確認紙幣の識別結果には、第１枚目の確認紙幣と第１番目の判定パターンとが対応付けられている。なお、確認結果情報は、後述する判定パターン設定処理において生成される。
【００６６】
〔識別部の識別動作〕
次に、識別部１１０の識別動作について説明する。識別部１１０は、識別動作において紙幣の複数の判定要素毎のレベルを取得する。例えば、図６に示すように、複数枚（図６の例では１０枚）の紙幣が識別部１１０に順次搬送される場合、識別部１１０は、複数枚の紙幣の各々について、その紙幣の複数の判定要素毎のレベルを取得する。この例では、識別部１１０は、紙幣の正損の識別を行うために、紙幣の汚損に関するレベル（汚損レベル）や紙幣の欠損に関するレベル（欠損レベル）や紙幣の厚損に関するレベル（厚損レベル）などを取得する。なお、この例では、紙幣の汚れが少なくなるに連れて紙幣の汚損レベルが高くなり、紙幣の欠けが少なくなるに連れて紙幣の欠損レベルが高くなり、紙幣の厚みが薄くなるに連れて紙幣の厚損レベルが高くなる。また、図６の例において、汚損レベルａ１〜ａ１０と欠損レベルｂ１〜ｂ１０と厚損レベルｃ１〜ｃ１０の各々は、１以上で９以下の整数を示す。
【００６７】
そして、識別部１１０は、その取得された紙幣の複数の判定要素毎のレベルと判定パターンに含まれる複数の判定要素毎の閾値とを比較し、その比較の結果に基づいて紙幣を識別する。この例では、識別部１１０は、紙幣の汚損レベルが判定パターンの汚損に関する閾値（汚損閾値）を上回るか同一である場合に紙幣が汚損券に該当しないと判定し、紙幣の汚損レベルが汚損閾値を下回る場合に紙幣が汚損券に該当すると判定する。これと同様に、識別部１１０は、紙幣の欠損レベルが判定パターンの欠損に関する閾値（欠損閾値）を上回るか同一である場合に紙幣が欠損券に該当しないと判定し、紙幣の欠損レベルが欠損閾値を下回る場合に紙幣が欠損券に該当すると判定する。また、識別部１１０は、紙幣の厚損レベルが判定パターンの厚損に関する閾値（厚損閾値）を上回るか同一である場合に紙幣が厚損券に該当しないと判定し、紙幣の厚損レベルが厚損閾値を下回る場合に紙幣が厚損券に該当すると判定する。そして、識別部１１０は、紙幣が汚損券と欠損券と厚損券のいずれにも該当しない場合に紙幣が正券であると判定する。
【００６８】
なお、識別部１１０における紙幣の識別に用いられる判定パターンは、後述する判定パターン設定処理において複数の判定パターンの中から選択される。
【００６９】
〔貨幣処理装置において行われる処理：計数処理〕
実施形態１における貨幣処理装置１０では、計数処理などの各種処理が行われる。計数処理は、紙幣を識別して計数する処理である。なお、計数処理は、紙幣を識別して搬送する処理（識別搬送処理）の一例である。
【００７０】
計数処理では、制御部１４は、投入部１０１に投入された紙幣が識別部１１０において識別されて識別部１１０による識別の結果に応じた搬送先（リジェクト部１０２と外部集積部１０３と上部投出部１０４と下部投出部１０５のいずれか）に搬送されるように、貨幣処理装置１０の動作を制御する。
【００７１】
具体的には、計数処理では、投入部１０１に投入された紙幣が第１搬送部１０９ａに繰り出されて識別部１１０に搬送され、識別部１１０において識別される。識別部１１０により正常であると識別された紙幣（リジェクト対象に該当しないと識別された紙幣）のうち帯封されない紙幣は、スイッチバック反転部１１１とスパイラル反転部１１２とを経由して外部集積部１０３に搬送されて集積される。一方、識別部１１０により正常であると識別された紙幣のうち帯封される紙幣は、スイッチバック反転部１１１とスパイラル反転部１１２とを経由して内部集積部１０６に搬送されて集積される。内部集積部１０６に所定枚数の紙幣が集積されると、所定枚数の紙幣が第２搬送部１０９ｂに引き渡されて帯封部１０７に搬送され、帯封部１０７において帯封される。これにより、帯封紙幣が生成される。帯封部１０７により生成された帯封紙幣は、第３搬送部１０９ｃに引き渡されて下部投出部１０５に搬送されて投出される。そして、投入部１０１に投入された紙幣の搬送が完了すると、内部集積部１０６に残存している所定枚数未満の紙幣が第２搬送部１０９ｂに引き渡されて上部投出部１０４に搬送されて投出される。また、識別部１１０によりリジェクト対象であると判定された紙幣は、スイッチバック反転部１１１を経由してリジェクト部１０２に搬送されてリジェクトされる。
【００７２】
なお、計数処理では、識別部１１０は、複数の判定パターンのうち後述する判定パターン設定処理において選択された判定パターンに基づいて紙幣を識別する。このように、判定パターン設定処理において選択された判定パターンに基づく紙幣の識別を計数処理において行うことができる。
【００７３】
〔判定パターン設定処理〕
また、実施形態１における貨幣処理装置１０では、計数処理などの各種処理に加えて、判定パターン設定処理が行われる。判定パターン設定処理は、複数の判定パターンの中から識別部１１０における紙幣の識別に用いられる判定パターンを選択する処理のことである。
【００７４】
判定パターン設定処理では、制御部１４は、予め準備された複数枚の確認紙幣の各々の識別結果が複数の判定パターン毎に取得されるように、貨幣処理装置１０の動作を制御する。そして、制御部１４は、確認結果情報（複数の判定パターンと複数の判定パターン毎に取得された複数枚の確認紙幣の各々の識別結果とを示す情報）を出力する。
【００７５】
この例では、制御部１４は、判定パターン設定処理において、複数の判定パターン毎に確認搬送動作が行われるように、貨幣処理装置１０の動作を制御する。複数の判定パターン毎に行われる確認搬送動作では、複数枚の確認紙幣が識別部１１０に順次搬送されて識別部１１０により複数枚の確認紙幣の各々がその判定パターンに基づいて識別される。そして、制御部１４は、識別部１１０により複数の判定パターン毎に取得された複数枚の確認紙幣の各々の識別結果に基づいて確認結果情報を出力する。
【００７６】
また、この例では、制御部１４は、判定パターン設定処理において、確認結果情報を操作表示部１１（具体的には表示部１１ｂ）に出力して確認結果情報を操作表示部１１に表示させる。また、制御部１４は、確認結果情報に示された複数の判定パターンと複数の判定パターン毎に取得された複数枚の確認紙幣の各々の識別結果とが一覧表示されるように操作表示部１１を制御する。
【００７７】
〔判定パターン設定処理における貨幣処理装置の動作〕
次に、図７を参照して、判定パターン設定処理における貨幣処理装置１０の動作について説明する。貨幣処理装置１０は、判定パターン設定処理を開始するための操作に応答して判定パターン設定処理を行う。例えば、「正損設定」が含まれる操作画面（図８参照）が操作表示部１１に表示される。その操作画面において「正損設定」を選択するための操作が操作表示部１１に与えられると、その操作に応答して「正損設定（搬送設定）」が含まれる操作画面（図９参照）が操作表示部１１に表示される。そして、その操作画面において「正損設定（搬送設定）」を選択するための操作が操作表示部１１に与えられると、貨幣処理装置１０において以下の動作が行われる。
【００７８】
〈ステップＳ１０１〉
まず、複数枚の確認紙幣の各々に望まれる識別結果が登録される。例えば、複数枚の確認紙幣の各々に望まれる識別結果を設定するための操作画面（図１０参照）が操作表示部１１に表示され、複数枚の確認紙幣の各々に望まれる識別結果を設定するための操作（「正券」または「損券」を選択するための操作）が操作表示部１１に与えられる。そして、その操作画面中にある確定アイコンを押下するための操作が操作表示部１１に与えられると、その操作画面において設定された複数枚の確認紙幣の各々に望まれる識別結果（「正券」または「損券」）が確認紙幣管理情報に登録される。なお、図１０の例では、１０枚の確認紙幣のうち第１枚目から第４枚目までの確認紙幣に望まれる識別結果が「正券」に設定され、第５枚目から第１０枚目までの確認紙幣に望まれる識別結果が「損券」に設定されている。
【００７９】
また、識別部１１０における紙幣の識別に用いられる判定パターンの候補となる複数の判定パターン（この例では記憶部１３に記憶された複数の判定パターン）の確認が行われる。例えば、複数の判定パターン毎にその判定パターンを確認するための操作画面（図１１参照）が操作表示部１１に表示される。この操作画面には、判定パターンに含まれる複数の判定要素毎の閾値が掲載されている。図１１の例では、第１番目の判定パターンに含まれる汚損閾値（紙幣の汚損レベルに関する閾値）と欠損閾値（紙幣の欠損レベルに関する閾値）と厚損閾値（紙幣の厚損閾値に関する閾値）とが掲載されている。
【００８０】
なお、図１１の例では、汚損閾値が金種毎に準備されている。すなわち、判定パターンに含まれる複数の判定要素毎の閾値は、金種毎に用意されていてもよい。以下では、説明の簡略化のために、判定パターンに含まれる複数の判定要素毎の閾値が金種毎に用意されており全ての金種において共通となっている場合を例に挙げて説明する。
【００８１】
〈ステップＳ１０２〉
次に、制御部１４は、ステップＳ１０１において登録された複数の判定パターン（具体的には複数の判定パターンのうち処理対象として未だ選択されていない判定パターン）の中から処理対象となる判定パターンを選択する。なお、この判定パターンの選択は、複数の判定パターンが１つずつ順番に選択されるように自動的に行われるものであってもよいし、操作者による選択操作（複数の判定パターンの中から１つの判定パターンを選択するための操作）に応答して行われるものであってもよい。
【００８２】
〈ステップＳ１０３〉
次に、操作者によって複数枚の確認紙幣が投入部１０１に投入される。複数枚の確認紙幣の投入が完了すると、ステップＳ１０４へ進む。例えば、図１２に示すような操作画面（複数枚の確認紙幣の投入を指示するための操作画面）が操作表示部１１に表示され、複数枚の確認紙幣が投入された後に、スタートボタンが押下される（または操作表示部１１に表示された操作画面中にある完了アイコンを押下するための操作が操作表示部１１に与えられる）と、次の動作が開始される。
【００８３】
〈ステップＳ１０４〉
次に、制御部１４は、投入部１０１から１枚の確認紙幣が繰り出されるように、貨幣処理装置１０の動作を制御する。この例では、制御部１４は、投入部１０１から繰り出された確認紙幣が識別部１１０に搬送されて識別部１１０により識別された後にリジェクト部１０２に搬送されるように、貨幣処理装置１０の動作を制御する。
【００８４】
〈ステップＳ１０５〉
次に、識別部１１０は、ステップＳ１０２において選択された判定パターンに基づいて投入部１０１から繰り出されて識別部１１０に搬送されてきた確認紙幣を識別する。識別部１１０により取得された確認紙幣の識別結果は、制御部１４に送信される。制御部１４は、識別部１１０から送信された確認紙幣の識別結果に確認紙幣と判定パターンとを対応付け、その確認紙幣の識別結果を記憶部１３に記憶する。例えば、識別部１１０において第１番目の判定パターンに基づいて第１枚目の確認紙幣の識別が行われると、第１番目の判定パターンに基づいて取得された第１枚目の確認紙幣の識別結果に、第１枚目の確認紙幣と第１番目の判定パターンとが対応付けられる。このように、確認紙幣の識別結果に確認紙幣と判定パターンとを対応付けることにより、確認紙幣の識別結果を確認紙幣毎および判定パターン毎に管理することができる。
【００８５】
この例では、識別部１１０は、確認紙幣の識別とともに確認紙幣に付された記番号の読み取りを行う。そして、識別部１１０は、確認紙幣の識別結果に確認紙幣の記番号を対応付け、確認紙幣の記番号が対応付けられた確認紙幣の識別結果を制御部１４に送信する。制御部１４は、識別部１１０から送信された確認紙幣の識別結果（確認紙幣の記番号を対応付けられた確認紙幣の識別結果）に判定パターンを対応付け、その確認紙幣の識別結果を記憶部１３に記憶する。このように、確認紙幣の識別結果に確認紙幣の記番号と判定パターンとを対応付けることにより、確認紙幣の識別結果を記番号毎および判定パターン毎に管理することができる。
【００８６】
また、この例では、制御部１４は、識別部１１０から送信された確認紙幣の識別結果に対応付けられた確認紙幣の記番号が第１回目の確認搬送動作において読み取られた記番号である場合、その確認紙幣の記番号を記憶部１３に記憶された確認紙幣管理情報に登録する。記憶部１３では、図４に示すような確認紙幣管理情報が構築される。これにより、複数枚の確認紙幣の記番号を用いて複数枚の確認紙幣の各々を管理することができる。
【００８７】
〈ステップＳ１０６〉
次に、制御部１４は、次に搬送すべき確認紙幣が投入部１０１に残存しているか否かを判定する。次に搬送すべき確認紙幣が残存している場合にはステップＳ１０４へ進み、そうでない場合にはステップＳ１０７へ進む。
【００８８】
このように、ステップＳ１０４〜Ｓ１０６が行われることにより、投入部１０１に投入された複数枚の確認紙幣は、識別部１１０に順次搬送され、識別部１１０において識別されてリジェクト部１０２に順次搬送される。そして、ステップＳ１０１において選択された判定パターンに基づいて複数枚の確認紙幣の各々の識別結果が取得される。
【００８９】
〈ステップＳ１０７〉
搬送すべき確認紙幣が投入部１０１に残存していない場合（すなわち投入部１０１に投入された複数枚の確認紙幣の搬送が完了している場合）、制御部１４は、次に選択すべき判定パターンが残存しているか否かを判定する。次に選択すべき判定パターンが残存している場合にはステップＳ１０２へ進み、そうでない場合にはステップＳ１０８へ進む。
【００９０】
このように、ステップＳ１０２〜Ｓ１０７が行われることにより、複数の判定パターン毎に確認搬送動作（ステップＳ１０３〜Ｓ１０６）が行われ、識別部１１０により複数の判定パターン毎に複数枚の確認紙幣の各々の識別結果が取得される。そして、複数の判定パターン毎に取得された複数枚の確認紙幣の各々の識別結果は、確認紙幣と判定パターンとが対応付けられて記憶部１３に記憶される。これにより、図５に示すような確認結果情報（複数の判定パターンと複数の判定パターン毎に取得された複数枚の確認紙幣の各々の識別結果とを示す確認結果情報）が記憶部１３において生成される。
【００９１】
〈ステップＳ１０８〉
次に、選択すべき判定パターンが残存していない場合（すなわち複数の判定パターンの全てについて複数枚の確認紙幣の各々の識別結果が取得されている場合）、制御部１４は、記憶部１３に記憶された確認結果情報を操作表示部１１（具体的には表示部１１ｂ）に出力する。操作表示部１１は、確認結果情報を表示する。例えば、確認結果情報が含まれる操作画面（図１３参照）が操作表示部１１に表示される。図１３の例では、複数の判定パターンと複数の判定パターン毎に取得された複数枚の確認紙幣の各々の識別結果とが一覧表示されている。
【００９２】
〈ステップＳ１０９〉
次に、操作表示部１１に表示された複数の判定パターンの中から識別部１１０における紙幣の識別に用いられる判定パターンが選択される。具体的には、操作表示部１１に表示された操作画面（図１３参照）に掲載された複数の判定パターンの中からいずれか１つの判定パターンを選択するための操作（選択操作）が操作表示部１１に与えられると、制御部１４は、複数の判定パターンの中から選択操作により選択された判定パターンを識別部１１０における紙幣の識別に用いられる判定パターンとして設定する。図１３の例では、例えば、第７番目の判定パターンのアイコン（「パターン７」と記載されたアイコン）を押下するための操作が操作表示部１１に与えられると、第７番目の判定パターンが選択された状態となり、その後、確定アイコン（「確定」と記載されたアイコン）を押下するための操作が操作表示部１１に与えられると、第７番目の判定パターンが識別部１１０における紙幣の識別に用いられる判定パターンとして設定される。
【００９３】
〔実施形態１による効果〕
以上のように、確認結果情報（複数の判定パターンと複数の判定パターン毎に取得された複数枚の確認紙幣の各々の識別結果とを示す情報）を出力することにより、複数の判定パターン毎に取得された複数枚の確認紙幣の各々の識別結果を操作者に確認させることができる。この例では、確認結果情報を操作表示部１１（表示部１１ｂ）に表示させることにより、複数の判定パターン毎に取得された複数枚の確認紙幣の各々の識別結果を操作者に目視で確認させることができる。これにより、操作者による判定パターンの選択（複数の判定パターンの中から識別部１１０における紙幣の識別に用いられる判定パターンを選択する操作）を支援することができるので、操作者による判定パターンの選択を容易にすることができる。
【００９４】
また、複数の判定パターンと複数の判定パターン毎に取得された複数枚の確認紙幣の各々の識別結果とを一覧表示することにより、操作者は、複数の判定パターン毎に取得された複数枚の確認紙幣の各々の識別結果を判定パターン別に対比しながら確認することができる。これにより、複数の判定パターン毎に取得された複数枚の確認紙幣の各々の識別結果が一覧表示されない場合（例えば複数の判定パターン毎に取得された複数枚の確認紙幣の各々の識別結果が複数の判定パターン毎に切り換えられて操作表示部１１に表示される場合）よりも、操作者による判定パターンの選択を支援する効果を向上させることができるので、操作者による判定パターンの選択をさらに容易にすることができる。
【００９５】
また、複数枚の確認紙幣の各々の識別結果に確認紙幣に付された記番号（識別部１１０により読み取られた記番号）を対応付けることにより、複数枚の確認紙幣の各々の識別結果を記番号で管理することができる。これにより、２回目以降の確認搬送動作における複数枚の確認紙幣の繰出順番（投入部１０１から繰り出される順番）が１回目の確認搬送動作における複数枚の確認紙幣の繰出順番と異なる場合であっても、複数枚の確認紙幣の各々の識別結果を確認紙幣毎に管理することができる。そのため、操作者は、複数枚の確認紙幣の繰出順番を気にすることなく、複数枚の確認紙幣を投入部１０１に投入することができるので、操作者の負担を軽減することができる。
【００９６】
なお、制御部１４は、図７に示したステップＳ１０５において確認紙幣の記番号が識別部１１０により読み取ることができない場合に、その確認紙幣がリジェクト部１０２とは異なる搬送先（例えば外部集積部１０３）に搬送されるように貨幣処理装置１０の動作を制御し、確認紙幣の記番号が識別部１１０により読み取ることができないことを通知するように構成されていてもよい。
【００９７】
また、制御部１４は、２回目以降の確認搬送動作において取得された確認紙幣の記番号が１回目の確認搬送動作において取得された確認紙幣の記番号と一致しない場合に、その確認紙幣がリジェクト部１０２とは異なる搬送先（例えば外部集積部１０３）に搬送されるように貨幣処理装置１０の動作を制御し、２回目以降の確認搬送動作において取得された確認紙幣の記番号が１回目の確認搬送動作において取得された確認紙幣の記番号と一致しないことを通知するように構成されていてもよい。
【００９８】
（実施形態１の変形例１）
なお、実施形態１の貨幣処理装置１０において、制御部１４は、次のように構成されていてもよい。この実施形態１の変形例１では、制御部１４は、操作表示部１１（具体的には表示部１１ｂ）における複数の判定パターンの各々の表示態様がその判定パターンにおける一致度（その判定パターンに基づいて取得された複数枚の確認紙幣の各々の識別結果と複数枚の確認紙幣の各々に望まれる識別結果との一致度）に応じた表示態様となるように、操作表示部１１を制御する。例えば、図１４に示すように、制御部１４は、複数の判定パターンのうち一致度の高い判定パターンが一致度の低い判定パターンよりも優先的に表示されるように、操作表示部１１を制御する。
【００９９】
図１４の例では、複数の判定パターンの各々に一致順位（一致度の高い順を示す数字）が対応付けられている。また、図１４の例では、一致度が最も高い第７番目の判定パターンが既に選択された状態となっている。このような表示態様により、一致度の高い判定パターンが一致度の低い判定パターンよりも優先的に表示されている。
【０１００】
〔実施形態１の変形例１による効果〕
以上のように、操作表示部１１（表示部１１ｂ）における複数の判定パターンの各々の表示態様を複数の判定パターンの各々の一致度に応じた表示態様にすることにより、操作者による一致度の比較（複数の判定パターンの各々の一致度の比較）を容易にすることができる。これにより、操作者による判定パターンの選択を支援する効果を向上させることができるので、操作者による判定パターンの選択をさらに容易にすることができる。
【０１０１】
特に、一致度の高い判定パターンを一致度の低い判定パターンよりも優先的に表示させることにより、複数の判定パターンのうち一致度の高い判定パターンを操作者に優先的に確認させることができる。これにより、操作者による判定パターンの選択を支援する効果を向上させることができるので、操作者による判定パターンの選択をさらに容易にすることができる。例えば、操作者による判定パターンの選択ミスの発生を低減することができる。
【０１０２】
なお、制御部１４は、複数の判定パターンのうち一致度が最も高い判定パターンのみが操作表示部１１に表示されるように操作表示部１１を制御してもよい。このような表示態様においても、一致度の高い判定パターンを一致度の低い判定パターンよりも優先的に表示させることができる。
【０１０３】
（実施形態１の変形例２）
また、実施形態１の貨幣処理装置１０において、制御部１４は、次のように構成されていてもよい。この実施形態１の変形例２では、制御部１４は、判定パターン設定処理において、複数枚の確認紙幣が識別部１１０に順次搬送されて識別部１１０により複数枚の確認紙幣の各々の複数の判定要素毎のレベルが取得されるように貨幣処理装置１０の動作を制御する。また、制御部１４は、複数の判定パターン毎に、その判定パターンに含まれる複数の判定要素毎の閾値と識別部１１０により取得された複数枚の確認紙幣の各々の複数の判定要素毎のレベルとを比較することで、複数の判定パターン毎に複数枚の確認紙幣の各々の識別結果を取得する。そして、制御部１４は、その比較により複数の判定パターン毎に取得された複数枚の確認紙幣の各々の識別結果に基づいて確認結果情報を出力する。
【０１０４】
〔判定パターン設定処理における貨幣処理装置の動作〕
次に、図１５を参照して、実施形態１の変形例２における貨幣処理装置１０の動作（判定パターン設定処理における動作）について説明する。実施形態１と同様に、貨幣処理装置１０は、判定パターン設定処理を開始するための操作に応答して判定パターン設定処理を行う。
【０１０５】
〈ステップＳ２０１〉
まず、ステップＳ１０１と同様に、複数枚の確認紙幣の各々に望まれる識別結果が登録される。また、識別部１１０における紙幣の識別に用いられる判定パターンの候補となる複数の判定パターン（この例では記憶部１３に記憶された複数の判定パターン）の確認が行われる。
【０１０６】
〈ステップＳ２０２〉
次に、ステップＳ１０３と同様に、投入部１０１に複数枚の確認紙幣が投入される。複数枚の確認紙幣の投入が完了すると、ステップＳ２０３へ進む。
【０１０７】
〈ステップＳ２０３〉
次に、ステップＳ１０４と同様に、制御部１４は、投入部１０１から１枚の確認紙幣が繰り出されるように、貨幣処理装置１０の動作を制御する。この例では、制御部１４は、投入部１０１から繰り出された確認紙幣が識別部１１０に搬送されて識別部１１０において確認紙幣の複数の判定要素毎のレベルが取得された後にリジェクト部１０２に搬送されるように、貨幣処理装置１０の動作を制御する。
【０１０８】
〈ステップＳ２０４〉
次に、識別部１１０は、投入部１０１から繰り出されて識別部１１０に搬送されてきた確認紙幣の複数の判定要素毎のレベルを取得する。この例では、識別部１１０は、確認紙幣の汚損レベルや欠損レベルや厚損レベルなどを取得する。識別部１１０により取得された確認紙幣の複数の判定要素毎のレベルは、制御部１４に送信される。制御部１４は、識別部１１０から送信された確認紙幣の複数の判定要素毎のレベルに確認紙幣を対応付け、その確認紙幣の複数の判定要素毎のレベルを記憶部１３に記憶する。例えば、識別部１１０において第１枚目の確認紙幣の複数の判定要素毎のレベルが取得されると、第１枚目の確認紙幣の複数の判定要素毎のレベルに、第１枚目の確認紙幣が対応付けられる。このように、確認紙幣の複数の判定要素毎のレベルに確認紙幣を対応付けることにより、確認紙幣の複数の判定要素毎のレベルを確認紙幣毎に管理することができる。
【０１０９】
〈ステップＳ２０５〉
次に、制御部１４は、次に搬送すべき確認紙幣が投入部１０１に残存しているか否かを判定する。次に搬送すべき確認紙幣が残存している場合にはステップＳ２０３へ進み、そうでない場合にはステップＳ２０６へ進む。
【０１１０】
このように、ステップＳ２０２〜Ｓ２０４が行われることにより、投入部１０１に投入された複数枚の確認紙幣は、識別部１１０に順次搬送され、識別部１１０において確認紙幣の複数の判定要素毎のレベルが取得されてリジェクト部１０２に順次搬送される。そして、複数枚の確認紙幣の各々の複数の判定要素毎のレベル（図６参照）が取得されて記憶部１３に記憶される。
【０１１１】
〈ステップＳ２０６〉
次に、制御部１４は、ステップＳ１０１において登録された複数の判定パターン（具体的には複数の判定パターンのうち処理対象として未だ選択されていない判定パターン）の中から処理対象となる判定パターンを選択する。
【０１１２】
〈ステップＳ２０７〉
次に、制御部１４は、ステップＳ２０６において選択された判定パターンに含まれる複数の判定要素毎の閾値と記憶部１３に記憶された複数枚の確認紙幣の各々の複数の判定要素毎のレベルとを比較する。これにより、ステップＳ２０６において選択された判定パターンに基づいて複数枚の確認紙幣の各々の識別結果が取得される。なお、制御部１４において行われる比較（判定パターンに含まれる複数の判定要素毎の閾値と確認紙幣の複数の判定要素毎のレベルとの比較）は、識別部１１０の識別動作において行われる比較と同様となっている。そして、制御部１４は、複数枚の確認紙幣の各々の識別結果に確認紙幣と判定パターンとを対応付け、その複数枚の確認紙幣の各々の識別結果を記憶部１３に記憶する。
【０１１３】
〈ステップＳ２０８〉
次に、制御部１４は、次に選択すべき判定パターンが残存しているか否かを判定する。次に選択すべき判定パターンが残存している場合にはステップＳ２０６へ進み、そうでない場合にはステップＳ２０９へ進む。
【０１１４】
このように、ステップＳ２０６〜Ｓ２０８が行われることにより、複数の判定パターン毎に複数枚の確認紙幣の各々の識別結果が取得される。そして、複数の判定パターン毎に取得された複数枚の確認紙幣の各々の識別結果は、確認紙幣と判定パターンとが対応付けられて記憶部１３に記憶される。これにより、図５に示すような確認結果情報（複数の判定パターンと複数の判定パターン毎に取得された複数枚の確認紙幣の各々の識別結果とを示す確認結果情報）が記憶部１３において生成される。
【０１１５】
〈ステップＳ２０９，Ｓ２１０〉
次に、ステップＳ１０８と同様に、制御部１４は、記憶部１３に記憶された確認結果情報を操作表示部１１（具体的には表示部１１ｂ）に出力する。操作表示部１１は、確認結果情報を表示する。そして、ステップＳ１０９と同様に、操作表示部１１に表示された複数の判定パターンの中から識別部１１０における紙幣の識別に用いられる判定パターンが選択される。
【０１１６】
〔実施形態１の変形例２による効果〕
以上のように、複数枚の確認紙幣の搬送（識別部１１０への搬送）が少なくとも１回行われることで、複数枚の確認紙幣の各々の複数の判定要素毎のレベルを取得することができるので、判定パターン設定処理において複数枚の確認紙幣の搬送に要する時間を短縮することができる。また、複数枚の確認紙幣の搬送を繰り返し行わなくてもよいので、複数枚の確認紙幣の搬送に要する操作者の負担（例えば投入部１０１に複数枚の確認紙幣の再投入する作業に要する負担）を軽減することができる。また、操作者は、複数枚の確認紙幣の繰出順番を気にすることなく、複数枚の確認紙幣を投入部１０１に投入することができるので、操作者の負担を軽減することができる。また、繰出動作や搬送動作による確認紙幣の状態変化（劣化）を軽減することができる。
【０１１７】
なお、制御部１４は、図１５に示したステップＳ２０２〜Ｓ２０５の処理により取得された複数枚の確認紙幣の各々の複数の判定要素毎のレベルを管理コンピュータ２０に送信するように構成されていてもよい。そして、管理コンピュータ２０は、貨幣処理装置１０の制御部１４から送信された複数枚の確認紙幣の各々の複数の判定要素毎のレベルを、他の貨幣処理装置（図示を省略）を送信するように構成されていてもよい。すなわち、複数枚の確認紙幣の各々の複数の判定要素毎のレベルは、貨幣処理装置１０とは異なる他の貨幣処理装置における判定パターン設定処理に利用されてもよい。
【０１１８】
（実施形態２）
図１６は、実施形態２による貨幣処理システム１の構成を例示している。実施形態２による貨幣処理システム１は、図１および図２に示した貨幣処理装置１０に代えて、図１６および図１７に示す貨幣処理装置１０ａを備えている。なお、実施形態２による貨幣処理システム１のその他の構成は、実施形態１による貨幣処理システム１の構成と同様となっている。
【０１１９】
〔貨幣処理部〕
貨幣処理装置１０ａは、紙幣処理部３０と、硬貨処理部４０と、操作表示部１１と、通信部１２と、記憶部１３と、制御部１４と、プリンタ１５とを備えている。
【０１２０】
紙幣処理部３０は、紙幣の入出金処理，帯封紙幣の生成処理，帯封紙幣の出金処理などの各種処理を行う。なお、帯封紙幣は、所定枚数（例えば１００枚）の紙幣によって構成され、これらの所定枚数の紙幣は、帯封紙で帯封されている。
【０１２１】
図１８に示すように、紙幣処理部３０は、筐体３００と、紙幣投入部３０１と、紙幣投出部３０２と、出金リジェクト部３０３と、紙幣一時保留部３０４と、紙幣一括収納部３０５と、複数（この例では３つ）の紙幣収納部３０６と、紙幣集積部３０７と、紙幣搬送部３０８と、紙幣識別部３０９と、表裏反転部３１０と、帯封部３１１と、アーム機構３１２と、帯封紙幣投出部３１３と、複数（この例では４つ）の帯封紙幣収納部３１４と、帯封紙幣搬送部３１５と、帯封紙幣識別部３１６とを備えている。
【０１２２】
〈筐体〉
筐体３００は、直方体型の箱状に形成されている。そして、筐体３００には、紙幣処理部３０の上述の構成部品が収納されている。
【０１２３】
〈紙幣投入部〉
紙幣投入部３０１には、紙幣が投入される。この例では、紙幣投入部３０１は、紙幣処理部３０の前方（図１８では左方）に開口する投入口を有し、この投入口を介して紙幣が投入される。また、紙幣投入部３０１は、複数枚の紙幣を受け入れ可能に構成されている。この例では、紙幣投入部３０１には、紙幣投入部３０１に投入された複数枚の紙幣を１枚ずつ紙幣搬送部３０８に繰り出す繰出部が設けられている。
【０１２４】
〈紙幣投出部〉
紙幣投出部３０２は、紙幣を投出する。この例では、紙幣投出部３０２は、複数枚の紙幣を保持可能に構成されている。また、紙幣投出部３０２は、紙幣処理部３０の前方（図１８では左方）に開口する投出口を有し、この投出口を介して紙幣が投出される。この例では、紙幣投出部３０２の投出口には、シャッタが設けられている。なお、紙幣投出部３０２は、後述する紙幣入金処理においてリジェクト対象に該当する紙幣（入金リジェクト券）を返却する入金リジェクト部として利用され、後述する紙幣出金処理において出金すべき紙幣が搬送される出金部として利用される。
【０１２５】
〈出金リジェクト部〉
出金リジェクト部３０３は、後述の紙幣出金処理においてリジェクト対象に該当する紙幣（出金リジェクト券）を集積する。この例では、出金リジェクト部３０３は、複数枚のリジェクト紙幣を保持可能に構成されている。また、出金リジェクト部３０３は、所定の権限を有する操作者の操作により開放される前扉を有している。
【０１２６】
〈紙幣一時保留部〉
紙幣一時保留部３０４は、紙幣（例えば紙幣入金処理において入金された紙幣）を一時的に保留（収納）する。また、紙幣一時保留部３０４は、紙幣搬送部３０８との間において紙幣の受け渡しを行う。
【０１２７】
〈紙幣一括収納部〉
紙幣一括収納部３０５は、紙幣を収納する。また、紙幣一括収納部３０５は、紙幣搬送部３０８との間において紙幣の受け渡しを行う。この例では、紙幣一括収納部３０５は、異なる金種の紙幣を混合した状態で収納する。
【０１２８】
〈紙幣収納部〉
複数の紙幣収納部３０６は、それぞれ紙幣を収納する。また、複数の紙幣収納部３０６は、それぞれ紙幣搬送部３０８との間において紙幣の受け渡しを行う。この例では、複数の紙幣収納部３０６は、それぞれに割り当てられた金種の紙幣を収納する。
【０１２９】
〈紙幣集積部〉
複数の紙幣集積部３０７は、それぞれ所定枚数の紙幣を集積する。
【０１３０】
〈紙幣搬送部〉
紙幣搬送部３０８は、紙幣投入部３０１と紙幣投出部３０２と出金リジェクト部３０３と紙幣一時保留部３０４と紙幣一括収納部３０５と紙幣収納部３０６と紙幣集積部３０７との間において紙幣を搬送する。例えば、紙幣搬送部３０８は、紙幣を搬送するための搬送ベルトや、搬送ベルトを駆動するための駆動機構や、紙幣の搬送を案内するためのガイド機構や、紙幣の搬送方向を切り換えるための分岐機構などによって構成されている。
【０１３１】
〈紙幣識別部〉
紙幣識別部３０９は、紙幣搬送部３０８によって搬送される紙幣に対して識別処理と計数処理を行う。識別処理では、紙幣識別部３０９は、紙幣の金種，真偽，正損，新旧，搬送状態，表裏などを識別する。計数処理では、紙幣識別部３０９は、紙幣の枚数を種別毎に計数する。例えば、紙幣識別部３０９は、ラインセンサ，磁気センサ，画像センサなどの各種センサ，ＣＰＵなどの演算処理部，演算処理部を動作させるためのプログラムや情報を記憶するメモリなどの記憶部などによって構成されている。なお、紙幣識別部３０９による識別処理の結果および計数処理の結果は、制御部１４に送信される。
【０１３２】
〈表裏反転部〉
表裏反転部３１０は、紙幣搬送部３０８によって搬送される紙幣の表裏を選択的に反転させる。具体的には、表裏反転部３１０は、紙幣搬送部３０８によって搬送される紙幣の表裏に関する情報（例えば紙幣識別部３０９による紙幣の表裏の識別結果）に基づいて、紙幣の表裏の向きが予め定められた向きと一致している場合に、その紙幣を反転させずに通過させ、紙幣の表裏の向きが予め定められた向きと一致していない場合に、その紙幣を反転させて通過させる。
【０１３３】
〈帯封部〉
帯封部３１１は、所定枚数の紙幣の集合体に帯封紙を巻き付けて帯封紙幣を生成する。
【０１３４】
〈アーム機構〉
アーム機構３１２は、上下一対のアーム部を有し、紙幣集積部３０７に集積された所定枚数の紙幣の集合体をアーム部により保持して帯封部３１１に移動させる。また、アーム機構３１２は、帯封部３１１によって生成された帯封紙幣をアーム部により保持して帯封紙幣搬送部３１５に移動させる。
【０１３５】
〈帯封紙幣投出部〉
帯封紙幣投出部３１３は、帯封紙幣を投出する。この例では、帯封紙幣投出部３１３は、紙幣処理部３０の前方（図１８では左方）に開口する帯封紙幣投出口を有し、この帯封紙幣投出口を介して帯封紙幣が投出される。また、この例では、帯封紙幣投出部３１３の帯封紙幣投出口には、シャッタが設けられている。
【０１３６】
〈帯封紙幣収納部〉
複数の帯封紙幣収納部３１４は、それぞれ帯封紙幣を収納する。また、複数の帯封紙幣収納部３１４は、それぞれ帯封紙幣搬送部３１５との間において帯封紙幣の受け渡しを行う。この例では、複数の帯封紙幣収納部３１４は、それぞれに割り当てられた金種の帯封紙幣を収納する。
【０１３７】
〈帯封紙幣搬送部〉
帯封紙幣搬送部３１５は、帯封部３１１と帯封紙幣投出部３１３と帯封紙幣収納部３１４との間において帯封紙幣を搬送する。この例では、帯封紙幣搬送部３１５は、昇降通路３１５ａと、昇降ステージ３１５ｂと、搬送ベルト３１５ｃとを有している。昇降通路３１５ａは、帯封紙幣を上下方向に搬送するために設けられている。昇降ステージ３１５ｂは、昇降通路３１５ａに設けられている。そして、昇降ステージ３１５ｂは、帯封紙幣が載置されて上下に昇降する。搬送ベルト３１５ｃは、帯封紙幣を水平方向に搬送する。具体的には、搬送ベルト３１５ｃには、帯封紙幣に搬送ベルト３１５ｃの搬送力を伝達するための突起３１５ｄが設けられており、搬送ベルト３１５ｃが駆動すると搬送ベルト３１５ｃの突起３１５ｄが帯封紙幣に当接して搬送ベルト３１５ｃとともに帯封紙幣が移動する。
【０１３８】
〈帯封紙幣識別部〉
帯封紙幣識別部３１６は、帯封紙幣搬送部３１５によって搬送される帯封紙幣に対して識別処理と計数処理とを行う。識別処理では、帯封紙幣識別部３１６は、帯封紙幣の金種や帯封状態などを識別する。計数処理では、帯封紙幣識別部３１６は、帯封紙幣の束数を種別毎に計数する。例えば、帯封紙幣識別部３１６は、搬送される帯封紙幣の厚み方向の端面（この例では下面）の画像を取得する画像センサ、ＣＰＵなどの演算処理部、演算処理部を動作させるためのプログラムや情報を記憶するメモリなどの記憶部などによって構成されている。この例では、帯封紙幣識別部３１６は、帯封紙幣収納部３１４と昇降通路３１５ａとの間に設けられ、搬送ベルト３１５ｃによって搬送される帯封紙幣に対して識別処理と計数処理とを行う。なお、帯封紙幣識別部３１６による識別処理の結果および計数処理の結果は、制御部１４に送信される。
【０１３９】
〈硬貨処理部〉
硬貨処理部４０は、硬貨および包装硬貨を処理する。具体的には、硬貨処理部４０は、硬貨の入出金処理，包装硬貨の生成，包装硬貨の出金処理などの各種処理を行う。なお、包装硬貨は、所定枚数（例えば５０枚）の硬貨によって構成され、これらの所定枚数の硬貨は、包装紙で包装されている。
【０１４０】
〈各種センサ〉
実施形態１における貨幣処理装置１０と同様に、実施形態２における貨幣処理装置１０ａの各部には、紙幣や硬貨の通過を検知する通過センサなどの各種センサが設けられている。これらの各種センサによる検知結果（検知信号）は、制御部１４に送信される。
【０１４１】
〈プリンタ〉
プリンタ１５は、情報を印刷媒体（例えば印刷用紙）に印刷する。そして、プリンタ１５は、情報が印刷された印刷媒体を発行する。
【０１４２】
〈操作表示部と通信部と記憶部〉
実施形態２における操作表示部１１と通信部１２と記憶部１３の構成は、実施形態２における操作表示部１１と通信部１２と記憶部１３の構成と同様となっている。
【０１４３】
〈制御部〉
実施形態２における制御部１４の構成は、実施形態１における制御部１４の構成と同様となっている。なお、実施形態２における制御部１４の動作については、後で詳しく説明する。
【０１４４】
〔貨幣処理装置において行われる処理：入金処理と出金処理〕
実施形態２における貨幣処理装置１０ａでは、紙幣入金処理や紙幣出金処理などの各種処理が行われる、紙幣入金処理は、紙幣を入金する処理である。紙幣出金処理は、紙幣を出金する処理である。なお、紙幣入金処理および紙幣出金処理は、紙幣を識別して搬送する処理（識別搬送処理）の一例である。
【０１４５】
紙幣入金処理では、制御部１４は、紙幣投入部３０１に投入された紙幣が紙幣識別部３０９において識別されて紙幣識別部３０９による識別の結果に応じた搬送先（紙幣投出部３０２と紙幣一時保留部３０４のいずれか）に搬送されるように、貨幣処理装置１０ａの動作を制御する。
【０１４６】
具体的には、紙幣入金処理では、紙幣投入部３０１に投入された紙幣が紙幣搬送部３０８に繰り出されて紙幣識別部３０９に搬送され、紙幣識別部３０９において識別される。紙幣識別部３０９により正常であると識別された紙幣（リジェクト対象に該当しないと識別された紙幣）は、紙幣一時保留部３０４に搬送されて一時的に保留される。一方、紙幣識別部３０９によりリジェクト対象に該当すると識別された紙幣は、紙幣投出部３０２に搬送されてリジェクトされる。そして、紙幣投入部３０１に投入された紙幣の搬送が完了し、承認操作が操作表示部１１に与えられると、紙幣一時保留部３０４に一時的に保留された紙幣が紙幣識別部３０９による識別の結果に応じて紙幣一括収納部３０５または紙幣収納部３０６に搬送されて収納される。
【０１４７】
紙幣出金処理では、制御部１４は、紙幣収納部３０６に収納された紙幣が紙幣識別部３０９において識別されて紙幣識別部３０９による識別の結果に応じた搬送先（紙幣投出部３０２と出金リジェクト部３０３のいずれか）に搬送されるように、貨幣処理装置１０ａの動作を制御する。
【０１４８】
具体的には、紙幣出金処理では、紙幣収納部３０６に収納された紙幣が紙幣搬送部３０８に繰り出されて紙幣識別部３０９に搬送され、紙幣識別部３０９において識別される。紙幣識別部３０９により正常であると識別された紙幣（リジェクト対象に該当しないと識別された紙幣）は、紙幣投出部３０２に搬送されて投出される。一方、紙幣識別部３０９によりリジェクト対象に該当すると識別された紙幣は、出金リジェクト部３０３に搬送されてリジェクトされる。
【０１４９】
なお、紙幣入金処理および紙幣出金処理では、紙幣識別部３０９は、複数の判定パターンのうち後述する判定パターン設定処理において選択された判定パターンに基づいて紙幣を識別する。このように、判定パターン設定処理において選択された判定パターンに基づく紙幣の識別を紙幣入金処理および紙幣出金処理において行うことができる。
【０１５０】
〔判定パターン設定処理〕
実施形態１における貨幣処理装置１０と同様に、実施形態２における貨幣処理装置１０ａでは、紙幣入金処理や紙幣出金処理などの各種処理に加えて、判定パターン設定処理が行われる。
【０１５１】
実施形態２における判定パターン設定処理では、制御部１４は、予め準備された複数枚の確認紙幣の各々に対して複数の判定パターン毎に識別（その判定パターンに基づく識別）を行うために、複数枚の確認紙幣が紙幣識別部３０９（識別部）に順次搬送されるように、貨幣処理装置１０ａの動作を制御する。そして、制御部１４は、確認結果情報（複数の判定パターンと複数の判定パターン毎に行われた複数枚の確認紙幣の各々の識別の結果とを示す情報）を出力する。
【０１５２】
この例では、制御部１４は、判定パターン設定処理において、複数の判定パターン毎に、複数枚の確認紙幣が紙幣識別部３０９（識別部）に順次搬送されて紙幣識別部３０９により複数枚の確認紙幣の各々が判定パターンに基づいて識別されるように、貨幣処理装置１０ａの動作を制御する。そして、制御部１４は、紙幣識別部３０９により複数の判定パターン毎に行われた複数枚の確認紙幣の各々の識別の結果に基づいて確認結果情報を出力する。
【０１５３】
〔判定パターン設定処理における貨幣処理装置の動作〕
実施形態２の貨幣処理装置１０ａの動作（判定パターン設定処理における動作）は、実施形態１の貨幣処理装置１０の動作と同様となっている。すなわち、実施形態２の貨幣処理装置１０ａでは、図７に示した動作が行われる。なお、実施形態２では、１回目の確認搬送動作（ステップＳ１０３〜Ｓ１０６）と２回目以降の確認搬送動作と紙幣の搬送手順が異なっている。
【０１５４】
１回目の確認搬送動作では、制御部１４は、投入部１０１に投入された複数枚の確認紙幣が紙幣識別部３０９に順次搬送されて紙幣識別部３０９において識別された後に紙幣一時保留部３０４に順次搬送されるように、貨幣処理装置１０ａの動作を制御する。
【０１５５】
２回目以降の確認搬送動作では、制御部１４は、紙幣一時保留部３０４に収納された複数枚の確認紙幣が紙幣搬送部３０８に繰り出されて紙幣一括収納部３０５に搬送される（または紙幣搬送部３０８の搬送路に保持される）ように、貨幣処理装置１０ａの動作を制御する。そして、紙幣一時保留部３０４に収納された複数枚の確認紙幣の全部が紙幣一時保留部３０４から繰り出されると、制御部１４は、紙幣一括収納部３０５に収納された複数枚の確認紙幣（または紙幣搬送部３０８の搬送路に保持された複数枚の確認紙幣）が紙幣識別部３０９に順次搬送されて紙幣識別部３０９において識別された後に紙幣一時保留部３０４に順次搬送されるように、貨幣処理装置１０ａの動作を制御する。
【０１５６】
そして、判定パターン設定処理が完了すると、制御部１４は、紙幣一時保留部３０４に収納された複数枚の確認紙幣が紙幣搬送部３０８に繰り出されて紙幣投出部３０２に搬送されるように、貨幣処理装置１０ａの動作を制御する。
【０１５７】
〔実施形態２による効果〕
実施形態２による貨幣処理システム１（貨幣処理装置１０ａ）では、実施形態１による貨幣処理システム１（貨幣処理装置１０）と同様の効果を得ることができる。例えば、確認結果情報を出力することにより、複数の判定パターン毎に取得された複数枚の確認紙幣の各々の識別結果を操作者に確認させることができる。これにより、操作者による判定パターンの選択（複数の判定パターンの中から紙幣識別部３０９における紙幣の識別に用いられる判定パターンを選択する操作）を支援することができるので、操作者による判定パターンの選択を容易にすることができる。
【０１５８】
また、実施形態２の貨幣処理装置１０ａでは、確認紙幣が貨幣処理装置１０ａ内で循環搬送されるため、２回目以降の確認搬送動作（ステップＳ１０３〜Ｓ１０６）において紙幣投入部３０１に複数枚の確認紙幣を投入し直す必要がないので、操作者の負担を軽減することができる。また、操作者は、複数枚の確認紙幣の繰出順番を気にすることなく、複数枚の確認紙幣を投入部１０１に投入することができる。
【０１５９】
（実施形態２の変形例１）
実施形態１の変形例１と同様に、実施形態２において、制御部１４は、操作表示部１１（具体的には表示部１１ｂ）における複数の判定パターンの各々の表示態様がその判定パターンにおける一致度（その判定パターンに基づいて取得された複数枚の確認紙幣の各々の識別結果と複数枚の確認紙幣の各々に望まれる識別結果との一致度）に応じた表示態様となるように、操作表示部１１を制御するように構成されていてもよい。
【０１６０】
（実施形態２の変形例２）
実施形態１の変形例２と同様に、実施形態２において、制御部１４は、図１５に示した動作を行うように構成されていてもよい。この実施形態２の変形例２において、制御部１４は、判定パターン設定処理において、複数枚の確認紙幣が紙幣識別部３０９（識別部）に順次搬送されて紙幣識別部３０９により複数枚の確認紙幣の各々の複数の判定要素毎のレベルが取得されるように貨幣処理装置１０ａの動作を制御する。また、制御部１４は、複数の判定パターン毎に、その判定パターンに含まれる複数の判定要素毎の閾値と紙幣識別部３０９（識別部）により取得された複数枚の確認紙幣の各々の複数の判定要素毎のレベルとを比較することで、複数の判定パターン毎に複数枚の確認紙幣の各々の識別結果を取得する。そして、制御部１４は、その比較により複数の判定パターン毎に取得された複数枚の確認紙幣の各々の識別結果に基づいて確認結果情報を出力する。
【０１６１】
（繰入機構）
図１９および図２０に示すように、内部集積部１０６には、繰入機構５０が設けられていてもよい。繰入機構５０は、回転軸５００と第１繰入ローラ５０１と第２繰入ローラ５０２と札叩き車５０３とを有している。
【０１６２】
回転軸５００は、駆動機構５０４により回転駆動される。第１繰入ローラ５０１は、回転軸５００に固定され、回転軸５００とともに回転駆動する。第２繰入ローラ５０２は、第１繰入ローラ５０１との間に紙幣を挟み込んで回転するように構成されている。第１繰入ローラ５０１と第２繰入ローラ５０２とが紙幣を挟み込んで回転することにより、紙幣が内部集積部１０６に繰り入れられる。
【０１６３】
札叩き車５０３は、回転軸５００に固定され、回転軸５００とともに回転駆動する。具体的には、札叩き車５０３は、回転軸５００に固定される基部と、その基部から放射状に延出する複数の延出部とを有している。札叩き車５０３の延出部は、可撓性を有する材料（例えばゴム）によって構成されている。そして、札叩き車５０３は、回転軸５００とともに回転駆動することで、第１繰入ローラ５０１と第２繰入ローラ５０２との間から内部集積部１０６に繰り入れられた紙幣の繰入方向における後縁部を下方に叩きつける。これにより、内部集積部１０６に繰り入れられた紙幣と内部集積部１０６に既に集積されている紙幣との接触が回避される。
【０１６４】
ところで、搬送部１０９の駆動に連動して回転軸５００が回転駆動するように構成されている場合、搬送部１０９が駆動している間、札叩き車５０３が回転し続け、札叩き車５０３が内部集積部１０６に集積されている紙幣や搬送中の紙幣を叩き続けることになる。そのため、札叩き車５０３による紙幣の叩きつけに起因する騒音を低減することが困難とである。
【０１６５】
そこで、上記のような騒音を低減するために、駆動機構５０４は、繰入機構５０による紙幣の繰入が行われる場合に回転軸５００を回転駆動させて札叩き車５０３を駆動させ、繰入機構５０による紙幣の繰入が行われない場合に回転軸５００の回転駆動を停止して札叩き車５０３を停止させるように構成されていてもよい。例えば、駆動機構５０４は、搬送部１０９の駆動機構とは別に単独で回転軸５００を回転駆動させるモータによって構成されていてもよいし、搬送部１０９の駆動機構と回転軸５００との間に設けられた電磁クラッチによって構成されていてもよい。
【０１６６】
また、駆動機構５０４は、駆動機構５０４は、繰入機構５０による紙幣の繰入が行われる場合に回転軸５００を第１回転速度で回転駆動させて札叩き車５０３を駆動させ、繰入機構５０による紙幣の繰入が行われない場合に回転軸５００の第１回転速度よりも低い第２回転速度で回転駆動させて札叩き車５０３を駆動させるように構成されていてもよい。例えば、駆動機構５０４は、搬送部１０９の駆動機構とは別に単独で回転軸５００を回転駆動させるモータであり、繰入機構５０による紙幣の繰入が行われない場合（例えば繰入機構５０により前の紙幣が繰り入れられた時点から所定時間内に次の紙幣が繰入機構５０に送り込まれてこない場合）に、駆動機構５０４に供給される電流を第１電流（通常電流）から第１電流よりも少ない第２電流に切り換えられ、繰入機構５０による紙幣の繰入が行われる場合（例えば紙幣が繰入機構５０へ向けて送り込まれてきた場合）に、モータに供給される電流が第２電流から第１電流に切り換えられるようになっていてもよい。
【０１６７】
以上のような構成にすることにより、札叩き車５０３による紙幣の叩きつけに起因する騒音を低減することができる。
【０１６８】
（その他の実施形態）
以上の説明において、貨幣処理装置１０（または貨幣処理装置１０ａ）の制御部１４は、確認結果情報を管理コンピュータ２０やタブレット端末２やスマートフォン３などの外部機器（出力装置）に出力するように構成されていてもよい。そして、外部機器は、制御部１４により出力（送信）された確認結果情報を出力するように構成されていてもよい。例えば、管理コンピュータ２０において、制御部２５は、確認結果情報を表示部２２に出力して確認結果情報を表示部２２に表示させてもよい。このような構成にした場合も、確認結果情報を出力することにより、複数の判定パターン毎に取得された複数枚の確認紙幣の各々の識別結果を操作者に確認させることができるので、操作者による判定パターンの選択を支援することができ、操作者による判定パターンの選択を容易にすることができる。
【０１６９】
以上の説明において、確認結果情報が操作表示部１１（表示部１１ｂ）に表示される場合を例に挙げたが、これに限らず、確認結果情報は、他の態様で出力されてもよい。例えば、制御部１４は、確認結果情報をプリンタ（例えば図１６に示したプリンタ１５）に出力して確認結果情報が印刷された印刷媒体をプリンタに発行させてもよい。
【０１７０】
また、以上の説明では、判定パターン設定処理および識別搬送処理において紙幣が処理される場合を例に挙げたが、判定パターン設定処理および識別搬送処理において硬貨が処理されてもよい。例えば、判定パターン設定処理において、複数の判定パターン毎に複数枚の確認硬貨（確認貨幣の一例）の各々の識別結果が取得されてもよい。なお、硬貨の複数の判定要素毎のレベルの例としては、硬貨の色汚損に関するレベル（色汚損レベル）や硬貨の画像汚損に関するレベル（画像汚損レベル）などがある。
【０１７１】
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【０１７２】
以上説明したように、ここに開示する技術は、貨幣処理装置に有用である。
【符号の説明】
【０１７３】
１              貨幣処理システム
１０，１０ａ    貨幣処理装置
１１            操作表示部
１１ａ          操作部
１１ｂ          表示部
１２            通信部
１３            記憶部
１４            制御部
２０            管理コンピュータ
２１            操作部
２２            表示部
２３            通信部
２４            記憶部
２５            制御部
１０１          投入部
１０２          リジェクト部
１０３          外部集積部
１０４          上部投出部
１０５          下部投出部
１０６          内部集積部
１０７          帯封部
１０８          印字部
１０９          搬送部
１１０          識別部
３０１          紙幣投入部
３０２          紙幣投出部
３０３          出金リジェクト部
３０４          紙幣一時保留部
３０５          紙幣一括収納部
３０６          紙幣収納部
３０７          紙幣集積部
３０８          紙幣搬送部
３０９          紙幣識別部（識別部）
【図１】
2019185536.tif 000003
【図２】
2019185536.tif 000004
【図３】
2019185536.tif 000005
【図４】
2019185536.tif 000006
【図５】
2019185536.tif 000007
【図６】
2019185536.tif 000008
【図７】
2019185536.tif 000009
【図８】
2019185536.tif 000010
【図９】
2019185536.tif 000011
【図１０】
2019185536.tif 000012
【図１１】
2019185536.tif 000013
【図１２】
2019185536.tif 000014
【図１３】
2019185536.tif 000015
【図１４】
2019185536.tif 000016
【図１５】
2019185536.tif 000017
【図１６】
2019185536.tif 000018
【図１７】
2019185536.tif 000019
【図１８】
2019185536.tif 000020
【図１９】
2019185536.tif 000021
【図２０】
2019185536.tif 000022